(57)【特許請求の範囲】
【請求項１】
内部に電池及び発光体を収容してなる餌木であって、電池収容体を延長して半球状で封止する延長収容体を形成し、その内部頂点には電池陽極を延長した電池陽極延長補助体の端部が固定されており、その固定部を取り巻いて陽極を外部へ取り出す為の環状導電帯を設け、且つ半球状の空間には餌木の角度や慣性に反応する可動な導電性球体を収めてスイッチ部を構成してなり、釣り人が餌木に接続されている道糸の操作によって発光体に供給される電源の入り、切りが出来る事で釣り人の意思通りに餌木の発光、消光が可能となる事を特徴とする発光、消光餌木。
【発明の詳細な説明】
【技術分野】
【０００１】  本発明は烏賊釣り用餌木（ルアーを含む疑似針の総称）に関するもので、特に電池を電源として道糸の操作により釣り人の意思通り発光体を発光、消光させる事が出来る餌木に関するものである。
【背景技術】
【０００２】  魚や烏賊等の獲物を釣るために使われる餌木は、餌木全体又はその一部に蛍光塗料や蓄光塗料等を塗布したもの、化学反応で発光する発光体を餌木に装着したもの、及び電池等の電源と発光体を組み込んだ発光餌木等が知られている。【０００３】  化学反応で発光する発光体を装着するタイプの餌木の出願は、特開昭６１−５２２２６、実開平５−５３４６６などがあり、電池を電源として発光させる餌木に関する出願は特開２０００−２０１５７８、特開平１０−２０１３９９、特開２０００−１５７１０７など多くの出願が知られており、電池以外の電源を利用する発光餌木には、圧電素子を利用した特開２００１−２２４２８１及び特開平１１−２５３０７１等が出願されている。
【特許文献１】特開昭６１−５２２２６号公報
【特許文献２】実開平５−５３４６６号公報
【特許文献３】特開２０００−２０１５７８号公報
【特許文献４】特開平１０−２０１３９９号公報
【特許文献５】特開２０００−１５７１０７号公報
【特許文献６】特開２００１−２２４２８１号公報
【特許文献７】特開平１１−２５３０７１号公報
【特許文献８】実開５７−２３１７６号公報
【特許文献９】特開平１１−２５３０７１号公報
【特許文献１０】特開２００１−２２４２８１号公報
【特許文献１１】実願昭５０−０４２８９４号公報
【特許文献１２】実願昭５０−１０９３９９号公報
【発明の開示】
【発明が解決しようとする課題】
【０００４】  魚類は視覚、聴覚、臭覚等により餌を物色し捕獲するとされており、餌木は獲物の魚類に、餌木投入時の着水音や水中での移動音等にも関心を引かせ、餌食対象物として視認させるのであるが、夜間や自然光の届き難い場所でも光ることで視認され易く、更に主として餌の小魚に似せようとするものであり、そのために電池を電源として常時発光させる餌木の古くは、実開５７−２３１７６など多数の出願がある。【０００５】  獲物の魚類は、餌となる対象物が危険を察して逃げようとする様々な回避行動で生きている確証を得て更に刺激されて追尾し捕食する本能があり、従来から知られている常時発光している餌木では、危険が迫っても常に光って自らの存在を誇示しているかのようで、獲物の魚類は不自然さと警戒心、恐怖心を抱き捕食行動に移り難く、更に釣り人の竿の操作で相手から離れて逃げようとする小魚の動きは出来ても、消光する事は出来ないため小魚が身を隠そうとする行動時の、目や鱗からの反射光の変化に似せて操作する事に限界があり、竿の操作による技法で小魚に似せる事は至難であった。【０００６】  一方発光餌木の中で、電池を電源として発光・消光を等間隔で繰り返す機能を持つ餌木が市販されており、この等間隔で発光・消光する餌木は、常時発光している餌木よりも更に遠方から発見され易く、獲物の魚類に与える興味度と集魚効果は充分であるが、獲物の魚類が小魚と思い餌木に接近しても、相変わらず一定間隔で発光・消光を繰り返すだけでは上記した様な小魚が示す危険回避行動に伴う光の変化が単調、且つ不自然であり、獲物の魚類に警戒心を与えて食い渋らせ、釣果を上げる事が困難であった。【０００７】  また、特開平１１−２５３０７１や特開２００１−２２４２８１等は圧電素子を利用して発光するタイプであるが、複雑な構造であって、釣り人が道糸の操作で圧電素子に衝撃を与え、潮流などによって発電するもので、発光時間は瞬時の一定であるため、乏しい発光表現に終始して釣果に繋がり難く、幾度となく繰り返される遠投時や着水時の破壊的な衝撃は発電部の故障や耐久性への不安も生じる等の問題点があった。【０００８】  実願昭５０−４２８９４号公報では、制御部内に有害な水銀が使用されているが、餌木のような投入方法による使用であれば波止やコンクリート壁等への激突も数多く、破損を考慮すると極めて堅牢な材質で使用者及び釣り上げた食材の安全に配慮して、水銀を完全な密封状態でスイッチ部を形成する必要があり、製作の複雑さ及びコスト高となり、廃棄時や使用中の海底等への根がかりや糸切れによる現実的な回収不能時を想定すると環境問題にも大きな悪影響を与える利用困難な材質である。【０００９】    実願昭５０−１０９３９９号公報の振り子様式の制御部は複雑な構造でコスト高となり餌木のような投入による着水時やコンクリート壁等への激突で、潮流にも遥動して反応する精度の高い振り子部の故障が懸念される。【００１０】  振り子部を餌木に取り付けた場合、潮流等によって餌木の左右の揺れにも過敏に反応して、釣り人の意思通りの消光は出来ない。【００１１】  本発明はこれら上記した問題点を解決する為に、従来の発光餌木とは異なり、投入された餌木を釣り人が釣竿でしゃくる等して、道糸を張ったり緩めたりすると、それに応じて餌木頭部が上方向又は、下方向を向いたりする事等で、スイッチ部内の可動な導電性球体に重力のかかる方向を変えたり、慣性を作用させる事等により、餌木は釣り人の意志通りの発光、消光及び発光時間の長短が可能となり、獲物の魚類に餌木を一、二度見失わせて生きている確証と焦燥心を与える等の技法により、獲物の魚類が餌木を再発見した時は躊躇せず餌木を捕獲し、釣果に繋げる事が出来る餌木の開発を課題としている。
【課題を解決するための手段】
【００１２】  上記課題を解決する本発明の発光、消光餌木は、内部に電池及び発光体を収容してなる餌木であって、電池収容体を延長して半球状で封止する延長収容体を形成し、その内部頂点には電池陽極を延長した電池陽極延長補助体の端部が固定されており、その固定部を取り巻いて陽極を外部へ取り出す為の環状導電帯を設け、且つ半球状の空間には餌木の角度や慣性に反応する可動な導電性球体を収めてスイッチ部を構成してなり、釣り人が餌木に接続されている道糸の操作によって発光体に供給される電源の入り、切りが出来る事で釣り人の意思通りに餌木の発光、消光が可能となる事を特徴とする。
【発明を実施するための最良の形態】
【００１３】  本発明の実施の一例を以って図面を参照しつつ説明する。実施例は、乾電池形状用であり詳細に説明する。図１、図２は本発明の発光、消光餌木の外観図であり、餌木本体３１は市販されている烏賊などの釣りに使われる餌木を転用したもので、胸ヒレ近傍に取り付けられているバランスウエイト１２は、餌木の頭部方向からの沈降や沈降速度等を調整するためのものであり、餌木本体は電池収容体２５、発光ダイオード１０の発光体、及びその接続線等を収容して構成されており、電池両極の取り出し部、結線部等は防水、防錆と多少の衝撃対策を必要とする。
【実施例】
【００１４】  本発明の実施の一例は、図１、図２に示すように餌木本体３１に組み込んだ電池収容体２５は、電源とする乾電池を収容するためのものであって電気的な入、切機能と防水機能を備えており、図３は本発明の電池収容体２５の外観図であり、内部構造を説明するためＢ−Ｂ断面図を図４に示した。図１、図２は電池収容体２５を使用するもので、体積と浮力の比較的大きな餌木に小型乾電池１４の固定方式で本発明を行ったものであり、場合によってはバランスウエイト１２の小型化や省略等の理想的な餌木の形状も可能である。【００１５】  図１に示したように電池収容体２５は餌木本体３１に対して、平行又は前方にやや下向きに取り付けたので、投入された水中の餌木は、餌木のラインアイ２９に接続されている道糸１３が張られない限りバランスウエイト１２の効果により頭部を下にして沈降する条件が付されている。【００１６】  電池収容体２５内の電池は、内部が導電性の電池収容体脱着部２４と導電スプリング２１の手段で防水のための防水周縁帯２３を介在させて、ネジ込方式の電池収容体脱着蓋２４によって固定する。図４、図５に示すようにその電池陰極２２は電池陰極接触部２８で導通し、その陰極をスイッチ部３０近傍より電池収容体２５外部へ取り出した陰極２７と餌木内の発光ダイオード１０の陰極と結線する。【００１７】  一方、電池収容体２５の陽極側、端部に絶縁材質で電池収容体と一体化形成した延長収容体の半球状のスイッチ部３０を設け、その中央部には電池陽極１５に接した電池陽極延長補助体２０を配置し、スイッチ部３０の内部頂点付近には環状導電帯１７を備え、その環状導電帯１７と電池陽極延長補助体２０との間には絶縁体６を介在させ、スイッチ部３０の内部空間には導電性球体１９を１個以上収容し、電池収容体２５の傾きや導電性球体１９に作用する慣性等により導電性球体１９がスイッチ部３０の環状導電帯１７と電池陽極延長補助体２０を電気的に接続したり切ったりするスイッチ機構を構成するもので、環状導電帯１７から取り出した電池の陽極２６は発光ダイオード１０の陽極と結線する。【００１８】  釣り人が本発明の発光、消光餌木のラインアイ２９に接続されている道糸１３を引っ張って、餌木の向きを変えることで導電性球体１９に慣性などを作用させると、導電性球体１９がスイッチ部３０の環状導電帯１７と電池陽極延長補助体２０の双方に同時接触して電池陽極は導通し、発光ダイオード１０が発光すれば透光棒状体で採光されて餌木本体３１の両側面で発光するもので、道糸で餌木を強く引き続けると餌木は発光状態で位置を変え、緩く引き続けると消光状態で位置を変えて、強く引く、緩める等の繰り返しでは、発光と消光を繰り返しながら位置を変える事となり、このスイッチ構造は、リチウム電池に於いても電池陽極延長補助体を設けることなく実施可能である。【００１９】  本発明の実施例は、発光体として白色発光ダイオード１０を使用したものであり、餌木本体３１又は、発光体収容部分を透光体で製作した場合は餌木内部の発光ダイオード１０の光を餌木外部へ透光するため必要としないが、餌木本体３１又は、発光体収容部分を不透光体で製作した場合は、餌木外部への発光手段を両端が半球状の透光性と、僅かな屈曲性を有した緩やかなＶ、又はＵ字形の透光棒状体１１を餌木頭部側面より発光ダイオード１０と接触させながら挿、脱可能な直線形状で貫通装着させ、透光棒状体の復元力により左右のズレもなく安定さながら、発光ダイオード１０からの光を餌木３１の両眼に導く構造とするもので、この方法により水質、気象条件等や獲物の魚類が好む種々異なった色調の透光棒状体を準備すれば、事象に応じて容易に速やかな対応交換が可能となり、更に多くの釣果に繋がる事となる。【００２０】  実施例の導電性球体１９と環状導電帯１７、電池陽極延長補助体２０等との離合時の衝撃度も、導電性球体の可動時の殆どが球面上であるため衝撃は小さく故障は極めて少ないが、導電性球体１９が環状導電帯１７や電池陽極延長補助体との接触時、常に良好な導電状態であるようそれぞれに防錆処理をしておく事が肝要である。
【産業上の利用可能性】
【００２１】  釣り人は道糸を通じて水中の餌木の発光、消光、発光時間の長短などを制御する事で絶大な集魚効果と、生きた小魚により一層近い餌木の飛躍的な身のこなしが可能となり、獲物の動きと、餌木の発光、消光を伴う動きをイメージしながら釣り竿を操作し、餌木を生きた餌食対象物に似せる高度な釣りのアクション技法を楽しむ事と同時に、獲物の魚類の食い渋りも減少し、釣果も大きく期待出来るようになった。
【図面の簡単な説明】
【００２２】
【図１】本発明の実施例の餌木の外観側面図
【図２】本発明の実施例の餌木の外観平面図
【図３】本発明の実施例の電池収容体の外観拡大図
【図４】図３のＢ−Ｂの断面図
【図５】図４の部分拡大図
【符号の説明】
【００２３】９  電池収容体脱着蓋
１０発光ダイオード
１１透光棒状体
１２バランスウエイト
１３道糸
１４電池
１５電池陽極
１６防水周縁帯支え部
１７環状導電帯
１９導電性球体
２０電池陽極延長補助体
２１導電スプリング
２２電池陰極
２３防水周縁帯
２４電池収容体脱着部
２５電池収容体
２６陽極
２７陰極
２８電池陰極接触部
２９ラインアイ
３０スイッチ部
３１餌木本体
３４フック
【要約】
【課題】電池及び発光体を収容してなる餌木で、釣り人の道糸の操作により発光、消光できる機構を持つ餌木の提供。
【解決手段】本発明の発光、消光餌木は獲物の魚類を誘引するやめに、餌木の発光、消光を釣り人が道糸の操作で制御できるスイッチ機構を有する事を特徴とする餌木であり、釣り人の意思通り瞬間的な発光や発光時間の長短も可能となり、獲物の魚類に視認させた後消光させながら餌木を見失わせる等、獲物の魚類に焦燥心を与え、再度獲物の魚類が餌木を見つけた時は迷わず捕獲に至る高度な釣りの誘い技法により多くの釣果が期待できる。
【選択図】図１【図１】
0003696872.tif 000002
【図２】
0003696872.tif 000003
【図３】
0003696872.tif 000004
【図４】
0003696872.tif 000005
【図５】
0003696872.tif 000006